(57)【要約】【課題】ウェブサイトに接続をするとただちに該当する商品をダウンロードしたり、該当するデータを閲覧できるようにする。また、ログイン処理や認証処理の不要にする。【解決手段】サービス提供サイトを運用するウェブサーバ１２の特定のフォルダ１４をアクセスするためのＵＲＬ１６に対して、サービス対象毎に発生させたユニークな識別コード１８を付加したものを、ＱＲコード２４で表現した画像が所定の領域２６に印刷されている。また、当該所定の領域２６の画像を覆い隠すように、マスク２８を設けた。例えば、有償でウェブサイトからダウンロードされるコンテンツを販売するときに使用される。【選択図】図１
0003128378.tif 000002
【実用新案登録請求の範囲】
【請求項１】
サービス提供サイトを運用するウェブサーバの特定のフォルダをアクセスするためのＵＲＬに対して、サービス対象毎に発生させたユニークな識別コードを付加したものを、ＱＲコードで表現した画像が所定の領域に印刷されており、
当該所定の領域の前記画像を覆い隠すようにマスクを設けたことを特徴とするサービス提供カード。
【請求項２】
請求項１に記載のサービス提供カードにおいて、
前記ＵＲＬに前記識別コードを付加したサービスＵＲＬは、一度アクセスされるとウェブサーバから直ちに消去されるものであることを特徴とするサービス提供カード。
【請求項３】
請求項１または２に記載のサービス提供カードにおいて、
前記所定の領域に、前記画像を覆い隠し、かつ、剥離可能な接着剤を用いて貼り付けたマスクを有することを特徴とするサービス提供カード。
【請求項４】
請求項２または３に記載のサービス提供カードにおいて、
前記サービスＵＲＬは、アクセスしたとき、ログイン手続き及び認証手続き無しに、直ちにダウンロードできるデータファイルを直接特定する情報であって、サービス対象毎に設けたものからなることを特徴とするサービス提供カード。
【請求項５】
請求項２乃至４のいずれかに記載のサービス提供カードにおいて、
前記サービスＵＲＬにはサービス対象を特定する情報のみが含まれることを特徴とするサービス提供カード。
【請求項６】
請求項２乃至４のいずれかに記載のサービス提供カードにおいて、
前記サービス対象は、該当するＵＲＬを有効期間中閲覧する権利であって、前記サービスＵＲＬには、サービス利用者を区別し、かつ、当該利用者に関する情報を含まない識別コードが含まれることを特徴とするサービス提供カード。
【請求項７】
請求項２乃至６のいずれかに記載のサービス提供カードにおいて、
カード表面またはその周囲に、商品または商品の包装と一体に固定される固定手段を有することを特徴とするサービス提供カード。
【請求項８】
請求項２乃至７のいずれかに記載のサービス提供カードにおいて、
カードまたはマスクには、広告印刷スペースが設けられていることを特徴とするサービス提供カード。
【考案の詳細な説明】
【技術分野】
【０００１】
本考案は、ネットワークを通じて販売されるコンテンツの売買等に使用されるサービス提供カードに関する。
【背景技術】
【０００２】
インターネットを利用して各種の情報を閲覧させるために、ＱＲコードが多用されるようになった。これにより、複雑なＵＲＬの入力作業が軽減されるし、印刷物のＵＲＬ印刷スペースも節約できる（特許文献１参照）。
【特許文献１】特開２００６−８５６５８号公報
【考案の開示】
【考案が解決しようとする課題】
【０００３】
既知の従来の技術には、次のような解決すべき課題があった。
ＱＲコードは、カタログや雑誌等に印刷され、携帯電話で読み取って利用する。しかし、例えば、音楽データを有償でダウンロードするときに、ＱＲコードを使用して該当するウェブサイトに接続をしても、その後に認証処理等が必要になる。会員でないときは、会員登録処理等が必要になる。また、課金処理も複雑である。さらに、銀行送金等の処理をすると、個人情報流出のおそれもある。
上記の課題を解決するために、本考案は次のようなサービス提供カード等を提供する。即ち、ウェブサイトに接続をするとただちに該当する商品をダウンロードしたり、該当するデータを閲覧できるような、プリペイドカード化されたサービス提供カードの使用を可能にする。また、ログイン処理や認証処理の不要なサービスＵＲＬが印刷されたサービス提供カードの使用を可能にする。
【課題を解決するための手段】
【０００４】
以下の構成は上記の課題を解決するための手段である。
〈構成１〉
サービス提供サイトを運用するウェブサーバの特定のフォルダをアクセスするためのＵＲＬに対して、サービス対象毎に発生させたユニークな識別コードを付加したものを、ＱＲコードで表現した画像が所定の領域に印刷されており、当該所定の領域の上記画像を覆い隠すようにマスクを設けたことを特徴とするサービス提供カード。
【０００５】
このサービス提供カードは、例えば、有償でウェブサイトからダウンロードされるコンテンツを販売するときに使用される。サービス提供カードのマスクを剥がすと、ＱＲコードが現れる。これを、携帯電話等で読み取ると、コンテンツのアップロードされたＵＲＬに接続できる。そのＵＲＬで、認証処理等を省略して該当するコンテンツをただちにダウンロードできる。マスクは接着したり、袋綴じをして固定するとよい。
【０００６】
〈構成２〉
構成１に記載のサービス提供カードにおいて、上記ＵＲＬに上記識別コードを付加したサービスＵＲＬは、一度アクセスされるとウェブサーバから直ちに消去されるものであることを特徴とするサービス提供カード。
【０００７】
サービスＵＲＬは、一度アクセスされるとウェブサーバから直ちに消去されるから、通常の商品のように消費される。有償で１回だけダウンロードしたり閲覧できるものに、このサービス提供カードを使用すると最適である。
【０００８】
〈構成３〉
構成１または２に記載のサービス提供カードにおいて、上記所定の領域に、上記画像を覆い隠し、かつ、剥離可能な接着剤を用いて貼り付けたマスクを有することを特徴とするサービス提供カード。
【０００９】
接着材で貼り付けたマスクは、剥離した後に戻すことはできないから、ＱＲコードの秘匿性を確保できる。
【００１０】
〈構成４〉
構成２または３に記載のサービス提供カードにおいて、上記サービスＵＲＬは、アクセスしたとき、ログイン手続き及び認証手続き無しに、直ちにダウンロードできるデータファイルを直接特定する情報であって、サービス対象毎に設けたものからなることを特徴とするサービス提供カード。
【００１１】
有償で販売されたＱＲコードを、購入者は１回だけ使用できる。そのＱＲコードで該当するサイトの該当するデータファイルを直接特定する。従って認証処理等は不要になり、簡単にダウンロード等の操作ができる。サービス対象が複数あるときは、その数だけＱＲコードを設ける。これにより、操作も制御も単純化できる。
【００１２】
〈構成５〉
構成２乃至４のいずれかに記載のサービス提供カードにおいて、上記サービスＵＲＬにはサービス対象を特定する情報のみが含まれることを特徴とするサービス提供カード。
【００１３】
個人情報やその他の情報を含まないので、安心して利用できる。また、重複の無いユニークなサービスＵＲＬを印刷したサービス提供カードを大量に発行して、例えば、コンビニエンスストア、書店、娯楽施設、カード専用自動販売機等で販売をすることができる。だれでも、そのサービス提供カードを購入すれば、直ちに商品をダウンロードできる。
【００１４】
〈構成６〉
構成２乃至４のいずれかに記載のサービス提供カードにおいて、上記サービス対象は、該当するＵＲＬを有効期間中閲覧する権利であって、上記サービスＵＲＬには、サービス利用者を区別し、かつ、当該利用者に関する情報を含まない識別コードが含まれることを特徴とするサービス提供カード。
【００１５】
利用者を互いに区別するだけの情報であって、個人を特定する情報でなくてよい。カード毎にユニークな重複の無い識別コードが、ユーザコードになるとよい。これにより、個人情報を使用しないで、ユーザ登録をすることができる。そのカードの有効期間中は、ユーザとして、ウェブサイトを利用できる。
【００１６】
〈構成７〉
構成２乃至６のいずれかに記載のサービス提供カードにおいて、カード表面またはその周囲に、商品または商品の包装と一体に固定される固定手段を有することを特徴とするサービス提供カード。
【００１７】
固定手段は任意である。カードを収容した袋でもよい。例えば、書籍に綴じ込んだり、各種の商品に貼り付けられる。
【００１８】
〈構成８〉
構成２乃至７のいずれかに記載のサービス提供カードにおいて、カードまたはマスクには、広告印刷スペースが設けられていることを特徴とするサービス提供カード。
【００１９】
例えば、カードの表面や裏面に広告印刷スペースを設けておくと、サービス対象の表示のみならず、サービスを提供するスポンサー等の広告も掲載できる。
【考案を実施するための最良の形態】
【００２０】
以下、本考案の実施の形態を実施例毎に詳細に説明する。
【実施例１】
【００２１】
図１は実施例１のサービス提供カード１０を示す説明図である。
サービス提供カード１０には、マスク２８が接着剤等を用いて貼り付けられている。サービス提供カード１０の上とマスク２８の上には、広告印刷スペース３４が設けられている。サービス提供カード１０は、名刺サイズのカードからなる。サービス提供カード１０からマスク２８を剥がすと、その下側に設けられた所定の領域２６に、ＱＲコード２４が印刷されている。ＱＲコード２４は、サービス提供サイトを運用するウェブサーバ１２の特定のフォルダ１４をアクセスするためのＵＲＬ１６に対して、サービス対象毎に発生させたユニークな識別コード１８を付加したものである。このＱＲコード２４で表現した画像が所定の領域２６に印刷されていて、その領域２６の画像を覆い隠すようにマスク２８を設けている。
【００２２】
このサービス提供カード１０は、例えば、有償でウェブサイトからダウンロードされるコンテンツを販売するときに使用される。サービス提供カード１０のマスク２８を剥がすと、ＱＲコード２４が現れる。これを、図示しない携帯電話等で読み取ると、コンテンツのアップロードされたＵＲＬ１６に接続できる。そのＵＲＬ１６で、認証処理等を省略して該当するコンテンツをただちにダウンロードできる。
【００２３】
識別コード１８を発生させる規則は任意である。ユニークな識別コード１８であればよい。識別コード１８は文字でも数字でも構わない。容易に推測できないような文字と数字の組み合わせが好ましい。ウェブサーバ１２のサービス提供サイトの特定のフォルダ１４をアクセスするためのＵＲＬ１６に対して、サービス対象毎に発生させたユニークな識別コード１８を付加する。従って、該当するウェブサイトに例えば、有料のコンテンツ３２をアップロードして、特定の者だけに直接アクセスさせることができる。
【００２４】
カードにマスク２８をするので、マスク２８を剥がさない限り、該当するサイトにアクセスできない。これにより、カードを所持する者だけが、誰にも見られることなく有料のコンテンツをウェブサイトからダウンロードすることができる。サービス対象は、例えば、音楽データ、書籍データ等である。また、任意の文書データで構わない。通常は、ダウンロードを認めるサービスであるが、単に閲覧のみを認めるサービスでも構わない。閲覧を認めるサイトとしては、コミュニティサイト（掲示板、日記など）、懸賞サイト、位置情報を提供するサービス（日数が限定されている防犯対策用サイト）、動画サイト（映像配信）、娯楽、ゲームなどのサービス提供サイトに利用することができる。
【００２５】
カードが有償で取引されれば、そのカードのマスク２８を隔離した者がサービス対象を取得できる。マスク２８は、例えば、袋とじ状のカバーでよい。一度外したら元に戻せない構造のものが好ましい。また、カードのサイズは任意である。名刺サイズが好ましい。しかし、葉書サイズにして、郵送することもできる。また、雑誌等の綴じ込みにしても構わない。例えば、この図の例では、音楽ダウンロード３曲券とか、ＤＶＤ最新作ダウンロード券とか、情報サイト１日利用券といった用途を示す。
【００２６】
なお、ＵＲＬ１６に識別コード１８を付加したサービスＵＲＬ２０は、一度アクセスされると直ちに消去されるものにするとよい。これにより、有償で１回だけダウンロードしたり閲覧できるものに、このサービス提供カード１０を使用するとよい。また、図のように、所定の領域２６に、ＱＲコード２４の画像を覆い隠し、かつ、剥離可能な接着剤を用いて貼り付けたマスク２８を使用することが好ましい。接着材で貼り付けたマスク２８は、剥離した後に戻すことはできないから、ＱＲコード２４の秘匿性を確保できる。
【００２７】
さらに、サービスＵＲＬ２０は、アクセスしたとき、ログイン手続き及び認証手続き無しに、直ちにダウンロードできるデータファイルを直接特定する情報からなることが好ましい。有償で販売したＱＲコード２４を、購入者は１回だけ使用できる。そのＱＲコード２４で該当するサイトの該当するデータファイルを直接特定するとよい。こうすれば認証処理等は不要になり、簡単にダウンロード等の操作ができる。既に料金等が支払い済みであるから、サービス提供カード１０の持ち主はただちに目的のデータファイル等を取得できる。
【００２８】
サービスＵＲＬ２０にはサービス対象を特定する情報のみを含めるとよい。個人情報やその他の情報を含まないので、安心して利用できる。たとえ紛失しても、限定的な損害で済む。また、重複の無いユニークなサービスＵＲＬ２０を印刷したサービス提供カード１０を大量に発行して、例えば、コンビニエンスストア等で販売をすることができる。だれでも、そのサービス提供カード１０を購入すれば、直ちに商品をダウンロードできる。
【００２９】
さらに、サービス対象は、該当するＵＲＬ１６を有効期間中閲覧する権利であって、サービスＵＲＬ２０にはサービス利用者を区別する識別コード１８が含まれるとよい。上記の実施例では、サイトから特定のデータファイルをダウンロードできる権利を得るために、サービス提供カード１０を購入した。しかし、例えば、所定のサイトを利用してコンテンツを閲覧したり、所定の情報交換をすることができる権利を時間貸しするというシステムにも、このサービス提供カード１０を利用できる。
【００３０】
しかも、サービスＵＲＬ２０は、利用者を互いに区別するだけの情報であって、個人を特定する情報でなくてよい。カードの所有者が特定できればよい。カードを占有している者がカードの所有者である。カード毎にユニークな重複の無い識別コード１８が、ユーザコードになるとよい。これにより、利用者に関する情報を含まず、個人情報を使用しないで、ユーザ登録をすることができる。そのカードの有効期間中は、ユーザとして、ウェブサイトを利用できる。さらに、例えば、カードの表面や裏面に、図１に示すような広告印刷スペース３４を設けておくと、サービス対象の表示のみならず、サービスを提供するスポンサー等の広告も掲載できるという効果がある。特に、カードの所有者が、お互いに携帯電話に設定されているメールアドレスを知らせることなく情報交換できるサイトを運営できる。認識させるコードがカード毎に一枚一枚違うので、特殊暗号化されたカードがアドレス代わりになり、迷惑メールを防止し、個人情報が守られるという効果がある。
【実施例２】
【００３１】
図２と図３と図４は、それぞれ他の実施例のサービス提供カードを示す斜視図である。
図１の実施例ではサービス提供カード１０の表面に小面積のマスク２８を貼り付けた。一方、図２の実施例では、サービス提供カード１０を葉書サイズにして、葉書を袋綴じ形式のものにしている。葉書の一部がマスク２８になる。この場合にはカードサイズよりもスペースが十分にあるから、広告も表示できるし、複数のＱＲコード２４の画像を印刷することもできる。従って、例えば、複数のコンテンツをそれぞれ別々のＱＲコードで提供することもできる。
【００３２】
図３の実施例では、商品３７または商品の包装に、サービス提供カード１０が一体に固定されている。固定手段は接着剤等でよい。カードを収容した袋でもよい。こうすれば、商品ともに利用者に対して所定のサービスを提供できる。また、図４の実施例では、カード１０を例えば書籍３８に綴じ込んでいる。この場合でも、ＱＲコードをマスクで覆うことにより一回限りの各種のサービスを提供することができる。
【００３３】
上記のようなサービス提供カード１０は、「登録」、「ＩＤ」、「パスワード」、「暗証番号」、「クレジット決済、コンビニ決済、銀行振込」などの面倒な手続き無しに、容易にウェブサイトから有償のコンテンツ３２をダウンロードできる。また、カードを購入するだけなので、手軽に低価格に入手できる。また、プリペイド式のため、有料のウェブサイトについても、使いすぎが生じない。しかも、個人情報を完全に秘密にできるので、セキュリティが高い。カードに広告印刷スペース３４を設けると高い広告効果が得られる。
【図面の簡単な説明】
【００３４】
【図１】実施例１のサービス提供カードを示す説明図である。
【図２】実施例２のサービス提供カードを示す説明図である。
【図３】実施例２の他のサービス提供カードを示す説明図である。
【図４】実施例２の別のサービス提供カードを示す説明図である。
【符号の説明】
【００３５】
１０  サービス提供カード
１２  ウェブサーバ
１４  フォルダ
１６  ＵＲＬ
１８  識別コード
２０  サービスＵＲＬ
２４  ＱＲコード
２５  画像
２６  所定の領域
２８  マスク
３０  携帯電話
３２  コンテンツ
３４  広告印刷スペース
【図１】
0003128378.tif 000003
【図２】
0003128378.tif 000004
【図３】
0003128378.tif 000005
【図４】
0003128378.tif 000006